(57)【要約】      （修正有）【課題】上、下壁紙の接し合うジョイント部と下地壁面の間に配置して壁紙を切断した時に下地壁面が傷つかないようにした下敷きテープを提供する。【解決手段】複数の切れにくい合成樹脂繊維の糸の間隔を密目にして横方向に並べ、横方向の合成樹脂繊維の糸１と直交する縦方向の合成樹脂繊維の糸２を所定の間隔で配置し、横縦のそれぞれの合成樹脂繊維の糸の交差部を接着固定して成る網状の編物３を合成樹脂フィルム４に貼着した下敷きテープである。壁紙の切断の作業中、カッターナイフの刃先がジョイント部を移動しても、密目になっている網目には入り込むことはなく下地壁面には傷は付かない。さらに合成樹脂繊維の糸を使用しているので、通常の刃圧では切れにくくなっている。【選択図】図１
0003192127.tif 000002
【実用新案登録請求の範囲】
【請求項１】
下地壁面に貼着される壁紙の接し合うジョイント部の仕上げに際し、下地壁面側に配置して下地壁面を保護する下敷きテープにおいて、複数の切れにくい合成樹脂繊維の糸同士間の間隔を密目にして横方向に並べ、前記横方向の糸と直交する縦方向の合成樹脂繊維の糸を所定の間隔で配置し、縦、横のそれぞれの合成樹脂繊維の糸の交差部を接着固定して成る網状の編物を合成樹脂フィルムに貼着したことを特徴とする壁紙の切断用下敷きテープ。
【考案の詳細な説明】
【技術分野】下地壁面【０００１】  本考案は壁紙等を建物の壁面に貼り合わせる際、上、下の壁紙の接し合うジョイント部と下地壁面の間に下敷きテープを配置して壁紙を切断した時に、下地壁面が傷が付かないようにする下敷きテープに関するものである。
【背景技術】
【０００２】  従来、壁紙を建物の壁面に貼り合わせる際、上、下の壁紙の接し合うジョイント部を仕上げるには、隣り合う上、下の壁紙のジョイント部を重ね合わせた後にヘラ板の先端を押し当て、カッターナイフで重ね切断し、壁紙の余剰部分を取り除いていたが、その際、重ね切断した時にカッターナイフの刃先が深く入り込んで、下地壁面を傷付ける事が多々あり結果的にジョイント部の壁紙に目開き、目透きが発生するので壁紙と下地壁面との間に下敷きテープを挿入して下地壁面の傷を防止している。
【先行技術文献】
【特許文献】
【０００３】
【特許文献１】  特開２００２−３０７７９号広報
【考案の概要】
【考案を解決しようとする課題】
【０００４】  しかしながら、従来の下敷きテープの技術においては合成樹脂繊維の糸で形成した網状の下敷きテープ（特開２００２−３０７７９号広報）や合成樹脂シートにエンボス加工を施した下敷きテープ（特開２００２−１６７９３８号広報）等が提案されているが、網状の下敷きテープは、重ね切断した時にカッターナイフの刃先が密でない糸同士間の網目の部分から下地壁面に接触したり、横糸を切断して下地壁面に傷を付けたりした。そのため糸を切断し難くするために、糸の厚みを大きくすると重量が増してしなやかさが失われてしまう。すると重ね切断をして壁紙の余剰部分を取り除いた時、重ね合わせ部の影響が現われ始め、突き上がりが起きてしまうだけでなく、下敷きテープは柔軟性に欠いているので切断後の壁紙の余剰部分を取り除きも困難である。また、エンボス加工を施した下敷きテープは薄くて強度も弱いためカッターナイフで容易に切断され下地壁面に傷を付けた。そのため、いずれも壁紙の切断時の力加減がうまく調整出来ずに下地壁面を傷を付けてしまい、それによりジョイント部の壁紙の切れ目が広がり剥がれたりしたので、下地壁面を傷つけることなく作業者が効率よく容易に作業出来る下敷きテープを提供することを目的とするものである。
【課題を解決するための手段】
【０００５】  本考案の壁紙の切断用下敷きテープは、下地壁面に貼られる壁紙のジョイント部の切断に際し、そのジョイント部の下側に配置して下地壁面を保護するための下敷きテープで、切れにくい複数の合成樹脂繊維の糸同士間の間隔を密目にして横方向に並べ、横方向の糸と直交する縦方向に合成樹脂繊維の糸を所定の間隔で配置して、縦横の交差部を接着固定した網状の編物を薄い合成樹脂フィルムに貼着している下敷きテープであって、紙同士の重ねあったジョイント部の切断に際し、合成樹脂フィルム面が下の壁紙の裏面に当接するように、そして網状の編物面が下地壁面に当接するように配置している。なお網状の編物の片面だけを合成樹脂フィルムに貼着しているが、網状の編物の両面に合成樹脂フィルムを貼着しても良い。さらに、合成樹脂フィルムの材質としては糊が付着しにくいポリプロピレン、ポリエチレン等が最適である。
【考案の効果】
【０００６】  上述の様に、本考案の壁紙の切断用下敷きテープは、薄い合成樹脂フィルムの片面に縦横の合成樹脂繊維の糸の交差部を接着固定した網状の編物を貼着することにより、何かに引っ掛かかるなどしても縦横の合成樹脂繊維の糸が解けたり、緩んだりして網目が変形することはない。
【０００７】そして、ジョイント部の壁紙の切断の作業中、横方向の糸同士間の間隔は密目に配置しているのでカッターナイフの刃先がジョイント部を移動しても、密目になっている網目には入り込むことはなく下地壁面には傷は付かない。さらに横方向の糸は切れにくい合成樹脂繊維の糸を使用しているので、通常の刃圧では切れにくくなっている。
【０００８】  また、横方向の糸同士間の間隔は予め定められた間隔を持たせているので、ジョイント部の切断時には凹凸の特有の抵抗感がカッターナイフの刃先から伝わるので、刃先の押圧の加減が容易にできて下地壁面を傷付けることなくジョイント部の壁紙のみを良好に切断することが出来る。
【０００９】  さらに、薄く形成された合成樹脂フィルムの面が下の壁紙の裏面に当接して配置されているので作業中は凹凸の感触が得やすく、より作業性が向上する。
【００１０】  そして、合成樹脂フィルムには糊を転写しにくいポリプロピレン、ポリエチレン等で形成されたフィルムを使用するので、重ね切断をして壁紙の余剰部分を取り除く際にも壁紙の裏面の糊を転写しにくく、切断後の壁紙の接着力を低下させない。
【００１１】  また、下敷きテープの総厚を薄くし、しなやかな柔軟性を持たせた構成にしているので重ね切断をした後の壁紙の余剰部の取り出しも容易にでき、下敷きテープの膨らみによる突き上がりもなく、ジョイント部の壁紙の貼り付けも良好に仕上げることができる。
【図面の簡単な説明】
【００１２】
【図１】本考案の壁紙の切断用下敷きテープの正面図である。
【図２】本実施例の一部拡大の断面図である。
【考案を実施するための形態】
【００１３】  以下、添付図面に従って実施例を説明する。１は横糸で、切れにくい合成樹脂繊維の糸で、糸同士間の間隔は密目にして横方向に並べてある。２は縦糸で、合成樹脂繊維の糸で所定の間隔で配置している。３は縦、横方向の直交する、それぞれの合成樹脂繊維の糸１，２の交差部を接着固定して成る網状の編物である。４は、薄い合成樹脂フィルムであり、網状の編物３を片面に貼着している。なお、網状の編物３の両面に合成樹脂フィルム４を貼着してもよい。
【００１４】  本考案の一実施例は上述の如き構成からなるものであるから上５、下６の壁紙の接し合うジョイント部と下地壁面７の間に、合成樹脂フィルム４面側を下壁紙６の裏面に当接し、網状の編物３面側を下地壁面７に当接するように下敷きテープを配置して、上５、下６の壁紙の重なり合うジョイント部を切断するものである。なお，長尺の下敷きテープは紙筒に巻いた状態で製造、販売される。これにより、下敷きテープの付いた端がジョイント部の下側になるように糊つけ機械に取り付け可能である。
【産業上の利用可能性】
【００１５】  本考案は壁紙の切断用下敷きテープを製造する産業で利用される。
【符号の説明】
【００１６】１  横方向の合成樹脂繊維の糸
２  縦方向の合成樹脂繊維の糸
３  網状の編物
４  合成樹脂フィルム
５  上の壁紙
６  下の壁紙
７  下地壁面
【図１】
0003192127.tif 000003
【図２】
0003192127.tif 000004